Podtech/llm-jp-corpus-v4-ja_patent huggingface dataset:
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ゲームを実行する実行手段と、
前記ゲームが所定の状態にある場合に、前記ゲームに登場させるいずれかのゲーム要素の一部を表示部に表示させる表示制御手段と、
前記表示部に表示された部位に応じた物品を排出する排出手段と、
を備えるゲーム装置。
【請求項２】
前記実行手段は、前記ゲーム装置と隣接して配置された他のゲーム装置と接続することで、該隣接するゲーム装置と共働して前記ゲームを実行し、
前記表示制御手段は、前記ゲーム装置の表示部と前記隣接するゲーム装置の表示部とで、１つの前記ゲームに係るゲーム画面が構成されるよう、表示制御を行う請求項１に記載のゲーム装置。
【請求項３】
ゲーム要素について複数の部位を定義する定義手段をさらに備え、
前記表示制御手段は、ゲーム要素について定義された前記複数の部位のいずれかを前記ゲーム装置の表示部に表示させる請求項２に記載のゲーム装置。
【請求項４】
前記定義手段は、前記共働するゲーム装置の数に応じて、前記複数の部位の定義を行う請求項３に記載のゲーム装置。
【請求項５】
前記表示制御手段は、前記共働するゲーム装置の数、及び該共働するゲーム装置との配置関係に応じて、ゲーム要素の各部位を前記ゲーム装置の表示部に表示させる頻度を決定する請求項３または４に記載のゲーム装置。
【請求項６】
前記表示制御手段は、前記隣接するゲーム装置の表示部に表示されたゲーム要素の部位と連続する部位を、前記ゲーム装置の表示部に表示させる請求項２乃至５のいずれか１項に記載のゲーム装置。
【請求項７】
前記実行手段は、前記隣接するゲーム装置において、所定の期間に対価の支払いがなされたことに応じて、該隣接するゲーム装置と共働して前記ゲームを実行する請求項２乃至６のいずれか１項に記載のゲーム装置。
【請求項８】
物品から情報を取得する取得手段をさらに備え、
前記実行手段は、接続関係にあるゲーム装置のうちの２以上のゲーム装置において、所定の関係性を有する物品からの情報取得がなされたことに応じて、該接続関係にある全てのゲーム装置と共働して前記ゲームを実行する請求項２乃至７のいずれか１項に記載のゲーム装置。
【請求項９】
前記実行手段は、前記接続関係にあるゲーム装置において情報取得された、前記所定の関係性を有する物品の数に応じて前記ゲームの進行を有利に変更する請求項８に記載のゲーム装置。
【請求項１０】
前記ゲームの進行に係る操作入力を受け付ける入力手段をさらに備え、
前記実行手段は、他のゲーム装置と共働して前記ゲームを実行する場合に、前記ゲーム装置の表示部に表示されたゲーム要素の部位について、前記入力手段により受け付けられた操作入力に基づく動作制御を行う請求項２乃至９のいずれか１項に記載のゲーム装置。
【請求項１１】
前記ゲームの進行に係る操作入力を受け付ける入力手段をさらに備え、
前記実行手段は、他のゲーム装置と共働して前記ゲームを実行する場合に、複数のゲーム装置の表示部に渡って表示されたゲーム要素について、該複数のゲーム装置のいずれか１つのゲーム装置の前記入力手段により受け付けられた操作入力に基づき、動作制御を行う請求項２乃至９のいずれか１項に記載のゲーム装置。
【請求項１２】
前記排出手段により排出される物品は、前記表示部に一部が表示されたゲーム要素を示す情報が付された物品である請求項１乃至１１のいずれか１項に記載のゲーム装置。
【請求項１３】
前記排出手段により排出される物品は、前記表示部に表示されたゲーム要素の部位に基づく、別のゲーム要素を示す情報が付された物品である請求項１乃至１１のいずれか１項に記載のゲーム装置。
【請求項１４】
前記排出手段は、前記表示部に表示された部位に応じた物品を生成する生成手段を含む請求項１乃至１３のいずれか１項に記載のゲーム装置。
【請求項１５】
前記表示制御手段は、前記ゲームの実行中、前記表示部に表示させるゲーム要素の部位を変化させ、
前記排出手段は、前記ゲームにおける所定の時点で、前記表示部に表示されていた部位に応じた物品を排出する請求項１乃至１４のいずれか１項に記載のゲーム装置。
【請求項１６】
ゲーム用物品と、ゲーム用物品を排出可能なゲーム装置と、を含んで構成されるゲームシステムであって、
前記ゲーム装置は、
ゲームを実行する実行手段と、
前記ゲームが所定の状態にある場合に、前記ゲームに登場させるいずれかのゲーム要素の一部を表示部に表示させる表示制御手段と、
前記表示部に表示された部位に応じたゲーム用物品を排出する排出手段と、
を備えるゲームシステム。
【請求項１７】
コンピュータを、請求項１乃至１５のいずれか１項に記載のゲーム装置の各手段として機能させるためのプログラム。
【手続補正２】
【補正対象書類名】明細書
【補正対象項目名】発明の名称
【補正方法】変更
【補正の内容】
【発明の名称】ゲーム装置、ゲームシステム及びプログラム
【手続補正３】
【補正対象書類名】明細書
【補正対象項目名】０００１
【補正方法】変更
【補正の内容】
【０００１】
本発明は、ゲーム装置、ゲームシステム及びプログラムに関し、特にゲーム中に登場したゲーム要素に係る物品を排出するゲーム装置に関する。
【手続補正４】
【補正対象書類名】明細書
【補正対象項目名】０００６
【補正方法】変更
【補正の内容】
【０００６】
本発明は、使用状況に応じて適応的に興趣性を向上させたプレイ体験を提供するゲーム装置、ゲームシステム及びプログラムを提供することを目的とする。
【手続補正５】
【補正対象書類名】明細書
【補正対象項目名】０００７
【補正方法】変更
【補正の内容】
【０００７】
本発明のゲーム装置は、ゲームを実行する実行手段と、ゲームが所定の状態にある場合に、ゲームに登場させるいずれかのゲーム要素の一部を表示部に表示させる表示制御手段と、表示部に表示された部位に応じた物品を排出する排出手段と、を備える。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
スポーツに使用する移動解析装置であって、
前記移動解析装置の位置情報を取得する位置情報取得手段と、
前記移動解析装置の移動状態がスポーツにおける特定の移動状態であるか否かを判定する判定手段と、
前記判定手段が前記特定の移動状態であると判定した場合に、前記特定の移動状態と対応する位置情報を、前記スポーツにおける特定の移動状態の軌跡として所定の記録手段に記録させる記録制御手段と、
を備えることを特徴とする移動解析装置。
【請求項２】
前記判定手段は、前記移動解析装置の移動方向と、予め設定された基準とする移動方向との関係に基づいて、前記移動解析装置を保持したユーザが前記スポーツにおける特定の移動状態であるか否かを判定することを特徴とする請求項１に記載の移動解析装置。
【請求項３】
前記移動解析装置は、水上スポーツに使用されることを特徴とする請求項１または２に記載の移動解析装置。
【請求項４】
表示部と、
前記表示部の方向に対して、波の進行方向と、岸または沖の方向とを設定する設定手段と、をさらに備えることを特徴とする請求項１から３のいずれか１項に記載の移動解析装置。
【請求項５】
前記判定手段は、前記設定手段によって設定された前記波の進行方向と、前記移動解析装置の移動方向とに基づいて、前記移動解析装置を保持したユーザが、ライディング状態であるか、または、波待ちあるいはパドリングの状態であるかを判定することを特徴とする請求項４に記載の移動解析装置。
【請求項６】
前記判定手段は、前記設定手段によって設定された前記岸または沖の方向に基づいて、
前記移動解析装置の移動方向が、沖へ向かったのか、岸へ向かったのか、あるいは、岸と平行であるかを判定することを特徴とする請求項４または５に記載の移動解析装置。
【請求項７】
前記移動解析装置の移動速度を検出する速度検出手段をさらに備え、
前記判定手段は、前記速度検出手段の検出結果に基づいて、前記スポーツにおける特定の移動状態であるか否かを判定することを特徴とする請求項１から６のいずれか１項に記載の移動解析装置。
【請求項８】
スポーツに使用する移動解析装置の位置情報を記録する移動解析方法であって、
前記移動解析装置の位置情報を取得する位置情報取得ステップと、
前記移動解析装置を保持したユーザがスポーツにおける特定の移動状態であるか否かを判定する判定ステップと、
前記判定ステップで前記特定の移動状態であると判定された場合に、前記特定の移動状態と対応する位置情報を、前記スポーツにおける特定の移動状態の軌跡として所定の記録手段に記録させる記録制御ステップと、
を含むことを特徴とする移動解析方法。
【請求項９】
コンピュータに、
移動解析装置の位置情報を取得する位置情報取得機能と、
前記移動解析装置の移動状態がスポーツにおける特定の移動状態であるか否かを判定する判定機能と、
前記判定機能が前記特定の移動状態であると判定した場合に、前記特定の移動状態と対応する位置情報を、前記スポーツにおける特定の移動状態の軌跡として所定の記録手段に記録させる記録制御機能と、
を実現させることを特徴とするプログラム。
【手続補正２】
【補正対象書類名】明細書
【補正対象項目名】発明の名称
【補正方法】変更
【補正の内容】
【発明の名称】移動解析装置、移動解析方法及びプログラム
【手続補正３】
【補正対象書類名】明細書
【補正対象項目名】０００１
【補正方法】変更
【補正の内容】
【０００１】
本発明は、移動解析装置、移動解析方法及びプログラムに関する。
【手続補正４】
【補正対象書類名】明細書
【補正対象項目名】０００６
【補正方法】変更
【補正の内容】
【０００６】
上記目的を達成するため、本発明の一態様の移動解析装置は、
スポーツに使用する移動解析装置であって、
前記移動解析装置の位置情報を取得する位置情報取得手段と、
前記移動解析装置の移動状態がスポーツにおける特定の移動状態であるか否かを判定する判定手段と、
前記判定手段が前記特定の移動状態であると判定した場合に、前記特定の移動状態と対応する位置情報を、前記スポーツにおける特定の移動状態の軌跡として所定の記録手段に記録させる記録制御手段と、
を備えることを特徴とする。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
開口部を有する略方形の箱状に形成された第１ケース部材と、前記開口部を覆って前記第１ケース部材と結合可能な蓋状に形成された第２ケース部材と、前記第１ケース部材と前記第２ケース部材とが結合して形成されるケース内部に収容され、遊技機の作動に関する制御を行う制御基板とを備えた遊技機の基板ケースユニットであって、
前記第１ケース部材に、前記第２ケース部材と溶着可能な第１溶着部が形成され、
前記第２ケース部材に、前記第１溶着部と溶着可能な第２溶着部が形成され、
前記第１溶着部および前記第２溶着部は対向して溶着される溶着平面をそれぞれ有しており、
前記第１溶着部および前記第２溶着部の少なくともいずれか一方には、固化する前の溶着部材を案内する立体形状が形成されていることを特徴とする遊技機の基板ケースユニット。
【手続補正２】
【補正対象書類名】明細書
【補正対象項目名】０００６
【補正方法】変更
【補正の内容】
【０００６】
このような目的達成のため、本発明に係る遊技機の基板ケースユニットは、開口部を有する略方形の箱状に形成された第１ケース部材と、前記開口部を覆って前記第１ケース部材と結合可能な蓋状に形成された第２ケース部材と、前記第１ケース部材と前記第２ケース部材とが結合して形成されるケース内部に収容され、遊技機の作動に関する制御を行う制御基板とを備えた遊技機の基板ケースユニットであって、前記第１ケース部材に、前記第２ケース部材と溶着可能な第１溶着部が形成され、前記第２ケース部材に、前記第１溶着部と溶着可能な第２溶着部が形成され、前記第１溶着部および前記第２溶着部は対向して溶着される溶着平面をそれぞれ有しており、前記第１溶着部および前記第２溶着部の少なくともいずれか一方には、固化する前の溶着部材を案内する立体形状が形成されている。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
始動条件の成立に基づいて利益付与に関する抽選を行う抽選手段と、
前記抽選手段の抽選結果が特別結果であることに基づいて遊技者に利益を付与する利益付与手段と、
前記抽選手段の抽選結果に関する演出が行われる演出表示手段と、
前記抽選手段の抽選結果に基づき、前記演出表示手段において図柄の変動演出を行う演出実行手段と、
遊技者が操作可能な操作手段と、を備え、
前記演出実行手段は、前記図柄の再変動を所定回数実行する特別変動演出を実行可能であり、
前記特別変動演出は、前記再変動の実行回数が多いほど前記抽選結果が前記特別結果である期待度が高まるものであり、
前記演出実行手段は、前記特別変動演出において前記再変動が実行されることを、前記操作手段を用いた演出によって遊技者に通知することが可能とされ、該操作手段を用いた演出には、遊技者へと要求する動作態様の異なる第１特別演出と第２特別演出とがあり、
前記第１特別演出では、前記操作手段に対する遊技者動作が行われたタイミングで前記再変動が実行されることが通知され、
前記第２特別演出では、前記操作手段に対する遊技者動作に応じて所定の動作対応演出が表示され、その後、前記再変動が実行されることが通知され、
前記第１特別演出および前記第２特別演出では前記操作手段の有効時間が設定され、前記第１演出における前記操作手段の有効時間よりも前記第２演出における前記操作手段の有効時間のほうが長い 
ことを特徴とする遊技機。
【手続補正２】
【補正対象書類名】明細書
【補正対象項目名】０００７
【補正方法】変更
【補正の内容】
【０００７】
上記した目的を達成するために、請求項１に係る発明においては、
始動条件の成立に基づいて利益付与に関する抽選を行う抽選手段と、
前記抽選手段の抽選結果が特別結果であることに基づいて遊技者に利益を付与する利益付与手段と、
前記抽選手段の抽選結果に関する演出が行われる演出表示手段と、
前記抽選手段の抽選結果に基づき、前記演出表示手段において図柄の変動演出を行う演出実行手段と、
遊技者が操作可能な操作手段と、を備え、
前記演出実行手段は、前記図柄の再変動を所定回数実行する特別変動演出を実行可能であり、
前記特別変動演出は、前記再変動の実行回数が多いほど前記抽選結果が前記特別結果である期待度が高まるものであり、
前記演出実行手段は、前記特別変動演出において前記再変動が実行されることを、前記操作手段を用いた演出によって遊技者に通知することが可能とされ、該操作手段を用いた演出には、遊技者へと要求する動作態様の異なる第１特別演出と第２特別演出とがあり、
前記第１特別演出では、前記操作手段に対する遊技者動作が行われたタイミングで前記再変動が実行されることが通知され、
前記第２特別演出では、前記操作手段に対する遊技者動作に応じて所定の動作対応演出が表示され、その後、前記再変動が実行されることが通知され、
前記第１特別演出および前記第２特別演出では前記操作手段の有効時間が設定され、前記第１演出における前記操作手段の有効期間よりも前記第２演出における前記操作手段の有効時間のほうが長い
ことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の遊技機においては、遊技興趣の低下を抑制することができる。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
第１ユーザと第２ユーザとが協力するゲームの実行中において、前記第１ユーザが操作可能な操作期間を設定する設定手段と、
前記操作期間における前記第１ユーザの操作に基づいて、前記ゲームを進行させる進行手段と、
前記操作期間ごとに、当該操作期間の開始前又は当該操作期間中において、前記第１ユーザを支援するための支援オブジェクトとして少なくとも一つのオブジェクトの選択を前記第２ユーザから受け付ける受付手段と、
前記操作期間において有利になるための制御を、前記支援オブジェクトとして選択されたオブジェクトに関連付けられた前記制御に関する情報に基づいて実行する実行手段と、
を含むゲームシステム。
【請求項２】
前記オブジェクトはキャラクタであり、
前記受付手段は、前記支援オブジェクトとして少なくとも一つのキャラクタの選択を前記第２ユーザから受け付け、
前記実行手段は、前記制御を、前記支援オブジェクトとして選択されたキャラクタに関連付けられた前記情報に基づいて実行する、
請求項１に記載のゲームシステム。
【請求項３】
第１ユーザと第２ユーザとが協力するゲームの実行中において、前記第１ユーザが操作可能な操作期間ごとに、当該操作期間の開始前又は当該操作期間中において、前記第２ユーザによって前記第１ユーザを支援するための支援オブジェクトとして選択された少なくとも一つのオブジェクトのデータを取得する取得手段と、
前記操作期間において有利になるための制御を、前記支援オブジェクトとして選択されたオブジェクトに関連付けられた前記制御に関する情報に基づいて実行する実行手段と、
を含むゲーム制御装置。
【請求項４】
請求項１若しくは２に記載のゲームシステム、又は、請求項３に記載のゲーム制御装置としてコンピュータを機能させるためのプログラム。
【手続補正書】
【提出日】令和1年10月2日(2019.10.2)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の導電層と、第２の導電層と、第３の導電層と、第１の絶縁層と、第２の絶縁層と、第３の絶縁層と、第４の絶縁層と、半導体基板に形成された第１のトランジスタと、第２のトランジスタと、を有し、
前記第１のトランジスタの上方に前記第４の絶縁層が配置され、
前記第４の絶縁層の上方に前記第２のトランジスタが配置され、
前記第４の絶縁層の上方に前記第１の導電層が配置され、
前記第１の導電層の上方に前記第１の絶縁層が配置され、
前記第１の絶縁層の上方に前記第２の絶縁層が配置され、
前記第２の絶縁層の上方に前記第３の絶縁層が配置され、
前記第１の絶縁層と前記第２の絶縁層と前記第３の絶縁層とを貫通する開口部の内部に、前記第２の導電層が配置され、
前記開口部の内部において、前記第２の導電層の上方に前記第３の導電層が配置され、
前記第２の導電層は、前記開口部において前記第１の導電層と電気的に接続され、
前記第２の導電層は、前記第１の導電層の上面と重なる第１の領域と、前記開口部の側面に沿う第２の領域と、前記第２の絶縁層の上面と重なる第３の領域と、を有し、
前記第２の絶縁層は、酸化ハフニウムを有し、
前記第２の導電層は、窒化チタンを有し、
前記第３の導電層は、タングステンを有する、半導体装置。
【請求項２】
第１の導電層と、第２の導電層と、第３の導電層と、第１の絶縁層と、第２の絶縁層と、第３の絶縁層と、第４の絶縁層と、半導体基板に形成された第１のトランジスタと、第２のトランジスタと、を有し、
前記第１のトランジスタの上方に前記第４の絶縁層が配置され、
前記第４の絶縁層の上方に前記第２のトランジスタが配置され、
前記第４の絶縁層の上方に前記第１の導電層が配置され、
前記第１の導電層の上方に前記第１の絶縁層が配置され、
前記第１の絶縁層の上方に前記第２の絶縁層が配置され、
前記第２の絶縁層の上方に前記第３の絶縁層が配置され、
前記第１の絶縁層と前記第２の絶縁層と前記第３の絶縁層とを貫通する開口部の内部に、前記第２の導電層が配置され、
前記開口部の内部において、前記第２の導電層の上方に前記第３の導電層が配置され、
前記第２の導電層は、前記開口部において前記第１の導電層と電気的に接続され、
前記第２の導電層は、前記第１の導電層の上面と重なる第１の領域と、前記開口部の側面に沿う第２の領域と、前記第２の絶縁層の上面と重なる第３の領域と、を有し、
前記第１の領域は、前記半導体基板の裏面と平行であり、
前記第３の領域は、前記半導体基板の裏面と平行であり、
前記第２の絶縁層は、酸化ハフニウムを有し、
前記第２の導電層は、窒化チタンを有し、
前記第３の導電層は、タングステンを有する、半導体装置。
【請求項３】
第１の導電層と、第２の導電層と、第３の導電層と、第１の絶縁層と、第２の絶縁層と、第３の絶縁層と、第４の絶縁層と、半導体基板に形成された第１のトランジスタと、第２のトランジスタと、を有し、
前記第１のトランジスタの上方に前記第４の絶縁層が配置され、
前記第４の絶縁層の上方に前記第２のトランジスタが配置され、
前記第４の絶縁層の上方に前記第１の導電層が配置され、
前記第１の導電層の上方に前記第１の絶縁層が配置され、
前記第１の絶縁層の上方に前記第２の絶縁層が配置され、
前記第２の絶縁層の上方に前記第３の絶縁層が配置され、
前記第１の絶縁層と前記第２の絶縁層と前記第３の絶縁層とを貫通する開口部の内部に、前記第２の導電層が配置され、
前記開口部の内部において、前記第２の導電層の上方に前記第３の導電層が配置され、
前記第２の導電層は、前記開口部において前記第１の導電層と電気的に接続され、
前記第２の導電層は、前記第１の導電層の上面と重なる第１の領域と、前記開口部の側面に沿う第２の領域と、前記第２の絶縁層の上面と重なる第３の領域と、を有し、
前記第１の領域は、前記半導体基板の裏面と概略平行であり、
前記第３の領域は、前記半導体基板の裏面と概略平行であり、
前記第２の絶縁層は、酸化ハフニウムを有し、
前記第２の導電層は、窒化チタンを有し、
前記第３の導電層は、タングステンを有する、半導体装置。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
複数の書類のスキャンデータを生成する画像処理装置と接続された情報処理装置であって、
前記スキャンデータを書類ごとの書類データに分割する書類データ生成手段と、
前記スキャンデータに含まれている複数の個人番号を取得する個人番号取得手段と、
前記取得した個人番号ごとに当該個人番号に関連する書類として登録するために、前記分割した書類データを選択する画面を前記画像処理装置にて表示するように制御する表示制御手段と、
前記画面において選択された書類データと、前記画面において表示された個人番号とを対応付けて登録する登録手段と
を備え、
前記選択される書類データの中には、少なくとも複数の個人番号を含んだ書類データが含まれていることを特徴とする情報処理装置。
【請求項２】
前記選択される書類データの中には、少なくとも個人番号を含まない書類データが含まれることを特徴とする請求項１に記載の情報処理装置。
【請求項３】
前記表示制御手段は、すでに対応づけて登録するべく選択された書類データは選択できないように制御することを特徴とする請求項１または２に記載の情報処理装置。
【請求項４】
前記表示制御手段は、すでに対応づけて登録するべく選択された書類データであっても、複数の個人番号を含んだ書類データは選択できるように制御することを特徴とする請求項３に記載の情報処理装置。
【請求項５】
ユーザ情報を取得するユーザ情報取得手段を備え、
前記表示制御手段は、前記取得した個人番号ごとに、前記分割した書類データと、前記個人番号に関連するユーザ情報とを選択する画面を表示するよう制御することを特徴とする請求項１〜４のいずれか１項に記載の情報処理装置。
【請求項６】
複数の書類のスキャンデータを生成するスキャンデータ生成手段を備える情報処理システムであって
前記スキャンデータを書類ごとの書類データに分割する書類データ生成手段と、
前記スキャンデータに含まれている複数の個人番号を取得する個人番号取得手段と、
前記取得した個人番号ごとに当該個人番号に関連する書類として登録するために、前記分割した書類データを選択する画面を表示する表示制御手段と、
前記画面において選択された書類データと、前記画面において表示された個人番号とを対応付けて登録する登録手段と
を備え、
前記選択される書類データの中には、少なくとも複数の個人番号を含んだ書類データが含まれていることを特徴とする情報処理システム。
【請求項７】
複数の書類のスキャンデータを生成する画像処理装置と接続された情報処理装置の制御方法であって、
書類データ生成手段が、前記スキャンデータを書類ごとの書類データに分割する書類データ生成ステップと、
個人番号取得手段が、前記スキャンデータに含まれている複数の個人番号を取得する個人番号取得ステップと、
表示制御手段が、前記取得した個人番号ごとに当該個人番号に関連する書類として登録するために、前記分割した書類データを選択する画面を前記画像処理装置にて表示するように制御する表示制御ステップと、
登録手段が、前記画面において選択された書類データと、前記画面において表示された個人番号とを対応付けて登録する登録ステップと
を備え、
前記選択される書類データの中には、少なくとも複数の個人番号を含んだ書類データが含まれていることを特徴とする情報処理装置の制御方法。
【請求項８】
複数の書類のスキャンデータを生成する画像処理装置と接続された情報処理装置において実行可能なプログラムであって、
前記情報処理装置を、
前記スキャンデータを書類ごとの書類データに分割する書類データ生成手段と、
前記スキャンデータに含まれている複数の個人番号を取得する個人番号取得手段と、
前記取得した個人番号ごとに当該個人番号に関連する書類として登録するために、前記分割した書類データを選択する画面を前記画像処理装置にて表示するように制御する表示制御手段と、
前記画面において選択された書類データと、前記画面において表示された個人番号とを対応付けて登録する登録手段と
として機能させ、
前記選択される書類データの中には、少なくとも複数の個人番号を含んだ書類データが含まれていることを特徴とするプログラム。
【手続補正２】
【補正対象書類名】明細書
【補正対象項目名】発明の名称
【補正方法】変更
【補正の内容】
【発明の名称】情報処理装置、情報処理システム、制御方法、及びプログラム
【手続補正３】
【補正対象書類名】明細書
【補正対象項目名】０００８
【補正方法】変更
【補正の内容】
【０００８】
本発明は、一括でスキャンされた複数の書類をそれぞれ、当該書類に含まれる個人番号と対応づけて登録することの可能な仕組みを提供することを目的とする。
【手続補正４】
【補正対象書類名】明細書
【補正対象項目名】０００９
【補正方法】変更
【補正の内容】
【０００９】
上記の目的を達成するために本発明の情報処理装置は、複数の書類のスキャンデータを生成する画像処理装置と接続された情報処理装置であって、前記スキャンデータを書類ごとの書類データに分割する書類データ生成手段と、前記スキャンデータに含まれている複数の個人番号を取得する個人番号取得手段と、前記取得した個人番号ごとに当該個人番号に関連する書類として登録するために、前記分割した書類データを選択する画面を前記画像処理装置にて表示するように制御する表示制御手段と、前記画面において選択された書類データと、前記画面において表示された個人番号とを対応付けて登録する登録手段とを備え、前記選択される書類データの中には、少なくとも複数の個人番号を含んだ書類データが含まれていることを特徴とする。
【手続補正５】
【補正対象書類名】明細書
【補正対象項目名】００１０
【補正方法】変更
【補正の内容】
【００１０】
本発明によれば、一括でスキャンされた複数の書類をそれぞれ、当該書類に含まれる個人番号と対応づけて登録することが可能となる。
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
複数の画素が配された画素手段と、
第１のタイミングで前記画素手段から読み出される第１の画像信号と、前記第１のタイミングとは異なる第２のタイミングで前記画素手段から読み出される第２の画像信号とを合成することによって、第３の画像信号を生成する画像信号合成手段と、
前記第１の画像信号における信号レベルを解析する信号レベル解析手段と、
前記信号レベル解析手段による前記第１の画像信号の前記解析の結果に基づいて、前記第１の画像信号における前記信号レベルと前記第２の画像信号における信号レベルとを異ならせるように制御する制御手段と、
を有することを特徴とする固体撮像素子。
【請求項２】
前記画素からの信号に対してアナログ−デジタル変換を行うアナログ−デジタル変換手段を更に有し、
前記第１の画像信号及び前記第２の画像信号は、前記アナログ−デジタル変換手段によってアナログ−デジタル変換が行われた後のデジタルの画像信号である
ことを特徴とする請求項１に記載の固体撮像素子。
【請求項３】
前記第３の画像信号は、表現し得る最小輝度と最大輝度との比率が、前記第１の画像信号と前記第２の画像信号とのいずれよりも大きい
ことを特徴とする請求項１又は２に記載の固体撮像素子。
【請求項４】
前記制御手段は、前記第１の画像信号において前記信号レベルが所定レベル以上又は所定レベル以下となっている前記画素を含む範囲を、前記第２の画像信号を取得する際に前記画素からの読み出しが行われる読み出し範囲として決定する
ことを特徴とする請求項１乃至３のいずれか１項に記載の固体撮像素子。
【請求項５】
第１の基板と、前記第１の基板上に配された第２の基板とを更に有し、
前記画像信号合成手段は、前記第１の基板に配されており、前記画素手段は、前記第２の基板に配されている
ことを特徴とする請求項１乃至４のいずれか１項に記載の固体撮像素子。
【請求項６】
前記制御手段は、前記信号レベル解析手段による前記解析の結果に基づいて前記第２の画像信号の前記信号レベルを制御する
ことを特徴とする請求項１乃至５のいずれか１項に記載の固体撮像素子。
【請求項７】
前記制御手段は、前記信号レベル解析手段による前記第１の画像信号の前記解析の結果に基づいて、前記第２の画像信号を取得する際に読み出しが行われる前記画素を決定する
ことを特徴とする請求項１乃至６のいずれか１項に記載の固体撮像素子。
【請求項８】
複数の画素が配された画素手段と、
第１のタイミングで前記画素手段から読み出される第１の画像信号と、前記第１のタイミングとは異なる第２のタイミングで前記画素手段から読み出される第２の画像信号とを合成することによって、第３の画像信号を生成する画像信号合成手段と、
前記第１の画像信号における信号レベルを解析する信号レベル解析手段と、
前記信号レベル解析手段による前記第１の画像信号の前記解析の結果に基づいて、前記第１の画像信号における前記信号レベルと前記第２の画像信号における信号レベルとを異ならせるように制御を行う制御手段と、を備えた固体撮像素子と、
前記固体撮像素子により撮影された画像を表示する表示手段と、
を有することを特徴とする撮像装置。
【手続補正２】
【補正対象書類名】明細書
【補正対象項目名】０００５
【補正方法】変更
【補正の内容】
【０００５】
本発明の一観点によれば、複数の画素が配された画素手段と、第１のタイミングで前記画素手段から読み出される第１の画像信号と、前記第１のタイミングとは異なる第２のタイミングで前記画素手段から読み出される第２の画像信号とを合成することによって、第３の画像信号を生成する画像信号合成手段と、前記第１の画像信号における信号レベルを解析する信号レベル解析手段と、前記信号レベル解析手段による前記第１の画像信号の前記解析の結果に基づいて、前記第１の画像信号における前記信号レベルと前記第２の画像信号における信号レベルとを異ならせるように制御する制御手段と、を有することを特徴とする固体撮像素子が提供される。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
複数の映像領域ごとのセグメントを取得するための複数の識別子と前記複数の映像領域のうち２以上を含む広範囲領域の静止画を取得するための識別子とを含むプレイリストを生成するプレイリスト生成手段と、
受信装置からのプレイリストの取得要求に応じて、前記プレイリストを前記受信装置に送信する第１の送信手段と、
前記広範囲領域の静止画を前記受信装置に送信する第２の送信手段と、
を有する送信装置。
【請求項２】
前記第２の送信手段は、前記広範囲領域の静止画を取得するための識別子が選択されたことによる前記受信装置からの前記広範囲領域の静止画の取得要求に応じて、前記広範囲領域の静止画を前記受信装置に送信する請求項１記載の送信装置。
【請求項３】
前記第２の送信手段は、前記第１の送信手段により前記プレイリストが前記受信装置に送信された場合、前記広範囲領域の静止画を前記受信装置に送信する請求項１記載の送信装置。
【請求項４】
前記複数の映像領域ごとのセグメントを映像データに基づいて生成するセグメント生成手段と、
前記複数の映像領域のうち２以上を含む広範囲領域の静止画を生成する静止画生成手段と、
を有し、
前記プレイリスト生成手段は、前記セグメント生成手段により生成された前記複数の映像領域ごとのセグメントを取得するための複数の識別子と、前記静止画生成手段により生成された前記広範囲領域の静止画を取得するための識別子と、を含むプレイリストを生成する請求項１乃至３何れか１項記載の送信装置。
【請求項５】
前記静止画生成手段は、解像度が異なる複数の静止画を生成し、
前記プレイリスト生成手段は、前記セグメントのそれぞれを取得するための複数の識別子と、前記複数の広範囲領域の静止画のそれぞれを取得するための複数の識別子と、を含むプレイリストを生成する請求項４記載の送信装置。
【請求項６】
前記静止画生成手段は、前記セグメントのそれぞれを取得するための複数の識別子を含む前記広範囲領域の静止画を生成する請求項４又は５記載の送信装置。
【請求項７】
前記識別子は、ＵＲＬ（Ｕｎｉｆｏｒｍ  Ｒｅｓｏｕｒｃｅ  Ｌｏｃａｔｏｒ）である請求項１乃至６何れか１項記載の送信装置。
【請求項８】
前記広範囲領域は、前記複数の映像領域を含むことを特徴とする請求項１乃至７何れか１項記載の送信装置。
【請求項９】
送信装置が実行する情報処理方法であって、
複数の映像領域ごとのセグメントを取得するための複数の識別子と前記複数の映像領域のうち２以上を含む広範囲領域の静止画を取得するための識別子とを含むプレイリストを生成するプレイリスト生成工程と、
受信装置からのプレイリストの取得要求に応じて、前記プレイリストを前記受信装置に送信する第１の送信工程と、
前記広範囲領域の静止画を前記受信装置に送信する第２の送信工程と、
を含む情報処理方法。
【請求項１０】
コンピュータを、請求項１乃至８何れか１項記載の送信装置の各手段として機能させるためのプログラム。
【手続補正２】
【補正対象書類名】明細書
【補正対象項目名】０００５
【補正方法】変更
【補正の内容】
【０００５】
本発明の送信装置は、複数の映像領域ごとのセグメントを取得するための複数の識別子と前記複数の映像領域のうち２以上を含む広範囲領域の静止画を取得するための識別子とを含むプレイリストを生成するプレイリスト生成手段と、受信装置からのプレイリストの取得要求に応じて、前記プレイリストを前記受信装置に送信する第１の送信手段と、前記広範囲領域の静止画を前記受信装置に送信する第２の送信手段と、を有する。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
撮像部と通信可能な情報処理装置であって、
書類のめくりおよび書類の裏返しに応じた前記撮像部での撮像により前記書類の対象面の撮像データを取得する取得手段と、
前記取得手段により取得された撮像データを書類のページ順になるように管理する管理手段と
を備えることを特徴とする情報処理装置。
【請求項２】
前記管理手段で管理されるページ順に基づき、前記取得手段により取得された撮像データを用いて電子文書データを生成する生成手段
を備えることを特徴とする請求項１に記載の情報処理装置。
【請求項３】
前記生成手段は、前記管理手段で管理されるページ順に基づき、前記書類の裏返し前の撮像で得られたページの撮像データと前記書類の裏返し後の撮像で得られたページの撮像データとを、交互に用いて電子文書データを生成することを特徴とする請求項２に記載の情報処理装置。
【請求項４】
前記生成手段は、前記管理手段で管理されるページ順に基づき、前記書類の裏返しの前の撮像で得られたページの順方向からの撮像データと前記書類の裏返し後の撮像で得られたページの逆方向からの撮像データとを、交互に用いて電子文書データを生成することを特徴とする請求項２または３に記載の情報処理装置。
【請求項５】
前記管理手段は、前記書類の裏返し前の撮像で得られたページの撮像データを奇数ページとして、前記書類の裏返し後の撮像で得られたページの撮像データを偶数ページとして管理することを特徴とする請求項１乃至４のいずれか１項に記載の情報処理装置。
【請求項６】
前記撮像部による撮像の終了指示を受け付ける受付手段を備え、
前記管理手段は、前記書類が裏返されることなく前記受付手段により終了指示を受け付けた場合に、前記撮像部で撮像された順番を前記ページ順として管理することを特徴とする請求項１乃至５のいずれか１項に記載の情報処理装置。
【請求項７】
前記書類の裏返し前の撮像で得られたページの撮像データの枚数と前記書類の裏返し後の撮像で得られたページの撮像データの枚数とに基づき、正しく撮影されているかを判定する判定手段と、
前記判定手段で、正しく撮影されたと判定されない場合、警告を表示させるよう制御する表示制御手段と
を備えることを特徴とする請求項１乃至６のいずれか１項に記載の情報処理装置。
【請求項８】
撮像部と通信可能な情報処理装置の制御方法であって、
書類のめくりおよび書類の裏返しに応じた前記撮像部での撮像により前記書類の対象面の撮像データを取得する取得ステップと、
前記取得ステップにより取得された撮像データを書類のページ順になるように管理する管理ステップと
を含むことを特徴とする情報処理装置の制御方法。
【請求項９】
撮像部と通信可能なコンピュータで実行可能なプログラムであって、
前記コンピュータを、
書類のめくりおよび書類の裏返しに応じた前記撮像部での撮像により前記書類の対象面の撮像データを取得する取得手段と、
前記取得手段により取得された撮像データを書類のページ順になるように管理する管理手段
として機能させることを特徴とするプログラム。
【手続補正２】
【補正対象書類名】明細書
【補正対象項目名】０００７
【補正方法】変更
【補正の内容】
【０００７】
そこで本発明は、ユーザが煩雑な作業を行わなくとも、複数ページからなる両面印刷の書類のページ順でページの撮影データを管理することを目的とする。
【手続補正３】
【補正対象書類名】明細書
【補正対象項目名】０００８
【補正方法】変更
【補正の内容】
【０００８】
本発明の情報処理装置は、撮像部と通信可能な情報処理装置であって、書類のめくりおよび書類の裏返しに応じた前記撮像部での撮像により前記書類の対象面の撮像データを取得する取得手段と、前記取得手段により取得された撮像データを書類のページ順になるように管理する管理手段とを備えることを特徴とする。
【手続補正４】
【補正対象書類名】明細書
【補正対象項目名】０００９
【補正方法】変更
【補正の内容】
【０００９】
本発明によれば、ユーザが煩雑な作業を行わなくとも、複数ページからなる両面印刷の書類のページ順でページの撮影データを管理することが可能となる。
【手続補正書】
【提出日】平成31年4月26日(2019.4.26)
【手続補正１】
【補正対象書類名】明細書
【補正対象項目名】０００１
【補正方法】変更
【補正の内容】
【０００１】
読取対象物を撮影した画像をユーザが任意の保存方法で容易に記憶させることが可能な情報処理装置、その制御方法、及びプログラムに関する。
【手続補正２】
【補正対象書類名】明細書
【補正対象項目名】００１０
【補正方法】変更
【補正の内容】
【００１０】
本発明は、読取対象物を撮影した画像をユーザが任意の保存方法で容易に記憶させることが可能な仕組みを提供することを目的とする。
【手続補正３】
【補正対象書類名】明細書
【補正対象項目名】００１１
【補正方法】変更
【補正の内容】
【００１１】
上記の目的を達成するために、本発明の情報処理装置は、投影部が投影する投影面上の読取対象物を撮影部が撮影した画像を記憶させるかを制御する情報処理装置であって、前記読取対象物の位置に関する位置情報を取得する位置情報取得手段と、前記撮影部で前記読取対象物が撮影された第１の画像に関し前記位置情報取得手段で取得された前記読取対象物の位置情報と、前記第１の画像よりも先に前記撮影部で前記読取対象物が撮影された第２の画像に関し前記位置情報取得手段で取得された前記読取対象物の位置情報とに基づいて、前記第１の画像を前記第２の画像に上書きして記憶させるか否かを制御する記憶制御手段と、を備えることを特徴とする。
【手続補正４】
【補正対象書類名】明細書
【補正対象項目名】００１２
【補正方法】変更
【補正の内容】
【００１２】
本発明によれば、読取対象物を撮影した画像をユーザが任意の保存方法で容易に記憶させることが可能な仕組みを提供することのできる効果を奏する。
【手続補正５】
【補正対象書類名】特許請求の範囲
【補正対象項目名】全文
【補正方法】変更
【補正の内容】
【特許請求の範囲】
【請求項１】
投影部が投影する投影面上の読取対象物を撮影部が撮影した画像を記憶させるかを制御する情報処理装置であって、
前記読取対象物の位置に関する位置情報を取得する位置情報取得手段と、
前記撮影部で前記読取対象物が撮影された第１の画像に関し前記位置情報取得手段で取得された前記読取対象物の位置情報と、前記第１の画像よりも先に前記撮影部で前記読取対象物が撮影された第２の画像に関し前記位置情報取得手段で取得された前記読取対象物の位置情報とに基づいて、前記第１の画像を前記第２の画像に上書きして記憶させるか否かを制御する記憶制御手段と、
を備えることを特徴とする情報処理装置。
【請求項２】
前記記憶制御手段は、前記第１の画像に関し前記位置情報取得手段で取得された位置情報に基づいて、前記第１の画像の領域と重複する領域で撮影された前記第２の画像が記憶されていない場合は、前記第１の画像を上書きせずに記憶させるように制御することを特徴とする請求項１に記載の情報処理装置。
【請求項３】
前記記憶制御手段は、前記第１の画像に関し前記位置情報取得手段で取得された位置情報に基づいて、前記第１の画像の領域と重複する領域で撮影された画像が記憶されている場合は、前記第１の画像より先に記憶されている第２の画像を削除し、前記第１の画像を当該第２の画像に上書きして記憶させるように制御することを特徴とする請求項１または２に記載の情報処理装置。
【請求項４】
前記記憶制御手段は、読取対象物の種別が同じ前記第２の画像が記憶されているか否かによって、前記第１の画像を前記第２の画像に上書きして記憶させるか否かを制御することを特徴とする請求項１乃至３のいずれか１項に記載の情報処理装置。
【請求項５】
前記記憶制御手段は、前記第１の画像に関し前記位置情報取得手段で取得された位置情報に基づいて、前記第１の画像の読取対象物と種別が同じ前記第２の画像が記憶されている場合には、当該第１の画像および第２の画像を対応付けて記憶するよう制御することを特徴とする請求項１乃至４のいずれか１項に記載の情報処理装置。
【請求項６】
前記撮影部で撮影された画像を前記投影部により投影するよう制御する投影制御手段、
をさらに備え、
前記投影制御手段は、前記記憶制御手段により記憶するよう制御された画像を前記投影面に投影するよう制御することを特徴とする請求項１乃至５のいずれか１項に記載の情報処理装置。
【請求項７】
投影部が投影する投影面上の読取対象物を撮影部が撮影した画像を記憶させるかを制御する情報処理装置の制御方法であって、
前記情報処理装置が、
前記読取対象物の位置に関する位置情報を取得する位置情報取得ステップと、
前記撮影部で前記読取対象物が撮影された第１の画像に関し前記位置情報取得ステップで取得された前記読取対象物の位置情報と、前記第１の画像よりも先に前記撮影部で前記読取対象物が撮影された第２の画像に関し前記位置情報取得ステップで取得された前記読取対象物の位置情報とに基づいて、前記第１の画像を前記第２の画像に上書きして記憶させるか否かを制御する記憶制御ステップと、
を含むことを特徴とする情報処理装置の制御方法。
【請求項８】
コンピュータを、請求項１乃至６の何れか１項に記載の情報処理装置として機能させるためのプログラム。
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
複数の履修モデルと、当該履修モデルそれぞれに対応する科目情報を記憶する記憶装置を含む情報処理システムであって、
科目情報の選択を受け付ける科目情報選択受付手段と、
前記選択された科目情報に基づいて履修モデルの選択候補を表示する候補表示手段と、
前記表示された履修モデルの選択候補から履修モデルの選択を受け付ける履修モデル選択受付手段と
を備えることを特徴とする情報処理システム。
【請求項２】
前記候補表示手段は、前記選択された科目情報と、選択候補となる履修モデルに対応する科目情報とを対比した結果に基づいて、履修モデルの選択候補を表示することを特徴とする請求項１に記載の情報処理システム。
【請求項３】
前記候補表示手段は、前記選択された科目情報と、選択候補となる履修モデルに対応する科目情報との一致度合いに基づいて、履修目モデルの選択候補をソートして表示することを特徴とする請求項２に記載の情報処理システム。
【請求項４】
前記選択された科目情報と、前記選択された履修モデルに対応する科目情報とを対比した結果を表示する対比表示手段を備えることを特徴とする請求項１〜３のいずれか１項に記載の情報処理システム。
【請求項５】
前記対比表示手段は、前記選択された履修モデルに対応する科目情報のうち、前記選択された科目情報と一致する科目情報と一致しない科目情報とを識別表示することを特徴とする請求項４に記載の情報処理システム。
【請求項６】
前記選択された科目情報と、前記選択された履修モデルに対応する科目情報とを対比した結果に基づいて、前記選択された履修目標をユーザに対応づけて登録する登録制御手段を備えることを特徴とする請求項１〜５のいずれか１項に記載の情報処理システム。
【請求項７】
前記履修モデルはそれぞれ、履修目標となる職業、職業グループ、人物像のいずれかに対して設定されることを特徴とする請求項１〜６のいずれか１項に記載の情報処理システム。
【請求項８】
複数の履修モデルと、当該履修モデルそれぞれに対応する科目情報を記憶する記憶装置を含む情報処理システムの処理方法であって、
科目情報の選択を受け付ける科目情報選択受付ステップと、
前記選択された科目情報に基づいて履修モデルの選択候補を表示する候補表示ステップと、
前記表示された履修モデルの選択候補から履修モデルの選択を受け付ける履修モデル選択受付ステップと
を含むことを特徴とする処理方法。
【請求項９】
複数の履修モデルと、当該履修モデルそれぞれに対応する科目情報を記憶する記憶装置を含む情報処理システムのプログラムであって、
前記情報処理システムを、
科目情報の選択を受け付ける科目情報選択受付手段と、
前記選択された科目情報に基づいて履修モデルの選択候補を表示する候補表示手段と、
前記表示された履修モデルの選択候補から履修モデルの選択を受け付ける履修モデル選択受付手段
として機能させるためのプログラム。
【手続補正２】
【補正対象書類名】明細書
【補正対象項目名】０００８
【補正方法】変更
【補正の内容】
【０００８】
そこで、本発明の目的は、職業等に対応する履修モデルの選択および候補となる履修モデルに対する科目の選択を容易にする仕組みを提供することである。
【手続補正３】
【補正対象書類名】明細書
【補正対象項目名】０００９
【補正方法】変更
【補正の内容】
【０００９】
本発明の目的を達成するための、数の履修モデルと、当該履修モデルそれぞれに対応する科目情報を記憶する記憶装置を含む情報処理システムであって、科目情報の選択を受け付ける科目情報選択受付手段と、前記選択された科目情報に基づいて履修モデルの選択候補を表示する候補表示手段と、前記表示された履修モデルの選択候補から履修モデルの選択を受け付ける履修モデル選択受付手段とを備えることを特徴とする。
【手続補正４】
【補正対象書類名】明細書
【補正対象項目名】００１０
【補正方法】変更
【補正の内容】
【００１０】
本発明によれば、職業等に対応する履修モデルの選択および候補となる履修モデルに対する科目の選択を容易にする仕組みを提供することが可能となる。
【手続補正書】
【提出日】平成30年12月10日(2018.12.10)
【手続補正１】
【補正対象書類名】明細書
【補正対象項目名】００９４
【補正方法】変更
【補正の内容】
【００９４】
一方、過積載の車両５が床版４ｄ上を通過し、床版４ｄにダメージが生じたとする。こ
の場合、減衰係数の時系列における値は、所定期間内において、所定量を超えてシフトする
。推定部２６は、減衰係数の時系列における値が、所定期間内において所定量を超えてシ
フトした場合に、床版４ｄに異常が発生したと推定するので、ストレス等による床版４ｄ
の異常発生を適切に推定できる。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
被測定体の一方側面の一方側温度及び一方側熱流束と、前記被測定体の他方側面の他方側温度及び他方側熱流束とを取得する取得部と、
前記一方側温度、前記一方側熱流束、前記他方側温度および前記他方側熱流束を用いて前記被測定体の内部温度を演算する演算部と、
を備えた内部温度測定装置。
【請求項２】
前記被測定体の前記一方側面に前記一方側温度及び前記一方側熱流束を測定するための一方側センサー部と、前記被測定体の前記他方側面に前記他方側温度及び前記他方側熱流束を測定するための他方側センサー部とを有する測定部を更に備え、
前記取得部は、前記一方側センサー部と前記他方側センサー部とによる測定結果を取得する、
請求項１に記載の内部温度測定装置。
【請求項３】
前記一方側センサー部は複数の温度センサーを有し、
前記他方側センサー部は複数の温度センサーを有し、
前記取得部は、前記一方側センサー部で測定された複数の温度から前記一方側熱流を取得し、前記他方側センサー部で測定された複数の温度から前記他方側熱流を取得する、
請求項２に記載の内部温度測定装置。
【請求項４】
前記測定部は、
前記被測定体の第１の内部位置を挟むようにして設けられた第１のセンサー部ペアと、
前記被測定体の第２の内部位置を挟むようにして設けられた第２のセンサー部ペアと、
を有し、
前記演算部は、前記第１のセンサー部ペアによる測定結果を用いて第１の内部温度を推定し、前記第２のセンサー部ペアによる測定結果を用いて第２の内部温度を推定し、前記第１の内部温度及び前記第２の内部温度を用いて最終的な前記内部温度を決定する、
請求項２又は３に記載の内部温度測定装置。
【請求項５】
前記被測定体の表面を囲むように周状に配置される、温度及び熱流束を測定するためのＮ個（Ｎ≧３）のセンサー部を有する測定部を更に備え、
前記取得部は、前記Ｎ個のセンサー部のうちから前記一方側面のセンサー部と前記他方側面のセンサー部との組み合わせでなる複数のセンサー部ペアを選択して、各センサー部ペアによる測定結果を取得し、
前記演算部は、前記センサー部ペア毎に、前記取得部により取得された当該センサー部ペアの測定結果を用いて前記内部温度の候補を推定し、当該候補のうちから所定条件を満たす候補を最終的な前記内部温度として決定する、
請求項１〜３の何れか一項に記載の内部温度測定装置。
【請求項６】
温度及び熱流束を測定するためのセンサー部を、前記一方側面及び前記他方側面に配置変更可能に備え、
前記取得部は、前記センサー部が前記一方側面に配置されたときの測定結果を前記一方側温度及び前記一方側熱流束として取得し、前記他方側面に配置されたときの測定結果を前記他方側温度及び前記他方側熱流束として取得する、
請求項１〜３の何れか一項に記載の内部温度測定装置。
【請求項７】
前記演算部は、前記被測定体の中の温度を示す所定の温度分布を用いて前記被測定体の内部温度を演算する、
請求項１〜６の何れか一項に記載の内部温度測定装置。
【請求項８】
前記温度分布は、前記被測定体の内部温度を温度ピークとするＮ次関数（Ｎ≧２）で表された、
請求項１〜７の何れか一項に記載の内部温度測定装置。
【請求項９】
前記被測定体は人体の四肢であり、
前記演算部は、更に、前記一方側熱流束及び前記他方側熱流束を用いて基礎代謝を演算する、
請求項１〜８の何れか一項に記載の内部温度測定装置。
【請求項１０】
前記被測定体は人体の四肢であり、
前記測定部は、環状形状を有して前記四肢に装着される装着機器に内蔵されており、
前記取得部及び前記演算部は、本体装置に内蔵されており、
前記装着機器と前記本体装置とが通信接続されて構成された、
請求項２〜９の何れか一項に記載の内部温度測定装置。
【請求項１１】
請求項１〜１０の何れか一項に記載の内部温度測定装置を具備し、前記被測定体を人体の手首とし、環状形状を有して前記手首に装着されるリスト装着型装置。
【請求項１２】
コンピューターによる演算処理によって被測定体の内部温度を測定する方法であって、
前記被測定体の一方側面の一方側温度及び一方側熱流束と、前記被測定体の他方側面の他方側温度及び他方側熱流束とを取得することと、
前記一方側温度、前記一方側熱流束、前記他方側温度および前記他方側熱流束を用いて前記被測定体の内部温度を演算することと、
を含む内部温度測定方法。